(57)【要約】穴ぐり・皿穴バイトは、ねじれ溝付き軸部分（２）を備えたドリル（１）と、その軸部分（２）からドリル軸（３０）を管状に包囲しその上に種々の軸方向調整位置で固定できる皿穴刃体（５）のホルダとしての締付けリング（４）とを備える。締付けリング（４）は、ドリル軸線（７）に対し半径方向に貫通する締付けネジ（６）によりドリル（１）に締付け固定される。その締付けネジ（６）は、締付けリング（４）にもぐり込むねじれ溝（９、１０）の表面を、ねじれ溝（９、１０）内に置かれた締付けシュー（１９、２０）を経て間接的に押圧する。
2004524979.tif 000002
【特許請求の範囲】
【請求項１】
ドリル（１）のねじれ溝付き軸部（２）を包囲し、該軸部（２）上の任意の軸方向調整位置に固定できる、皿穴刃又は皿穴刃体のホルダとしての締付けリング（４）を備えた穴ぐり・皿穴バイトにおいて、締付けリング（４）が、該リング（４）を半径方向に貫通する締付けネジ（６）で、締付けリング（４）にもぐり込むねじれ溝（９、１０）の表面に対し締付け固定され、締付けネジ（６）とねじれ溝（９、１０）の表面の間に、締付けシュー（１９、２０）が置かれたことを特徴とする穴ぐり・皿穴バイト。
【請求項２】
締付けシュー（１９、２０）の切屑偏向片（２５）が、ねじれ溝（９、１０）がもぐり込む締付けリング（４）の部分（２６）から、ドリル刃先（１１）の方向に突出することを特徴とする請求項１記載のバイト。
【請求項３】
締付けシュー（１９、２０）の切屑偏向片（２５）が、少なくともそれに対応したねじれ溝（９、１０）の横断面を覆うことを特徴とする請求項２記載のバイト。
【請求項４】
締付けシュー（１９、２０）の切屑偏向片（２５）が、締付けリング（４）に対し有効な間隔リブ（２８）のフランクを形成し、該リブ（２８）が、締付けリング（４）にもぐり込む締付けシュー（１９、２０）の軸部（２９）から半径方向に突出することを特徴とする請求項１から３の１つに記載のバイト。
【請求項５】
締付けシュー（１９、２０）の切屑偏向片（２５）の表面（２７）が、ねじれ溝（９、１０）の底と、ドリル刃先（１１）からドリル軸（３０）の方向に開いた鋭角（３１）を成すことを特徴とする請求項１から４の１つに記載のバイト。
【請求項６】
切屑そらせ面（２７）の、ねじれ溝（９、１０）の内部に位置する個所が平坦であることを特徴とする請求項５記載のバイト。
【請求項７】
角度（３１）の大きさが、締付け位置においてねじれ溝（９、１０）の外に位置し締付けリング（４）の側に位置する切屑そらせ面（２７）の端部で増大（３３）されたことを特徴とする請求項５又は６記載のバイト。
【請求項８】
角度（３１）の大きさが屈曲部（３３）で増大されたことを特徴とする請求項７記載のバイト。
【請求項９】
切屑そらせ面（２７′）が、締付けリング（４）の側に位置しねじれ溝（９、１０）から突出する端部において、間隔リブ（２８）の対向フランク（３７）と、ドリル回転方向（３４）に閉じる鋭角（３５）を成すことを特徴とする請求項１から８の１つに記載のバイト。
【請求項１０】
締付けシュー（１９）のねじれ溝（９、１０）との接触面（２１、２２）が、締付けシュー（１９）の切屑偏向片（２５）とその反対側端との間で円弧状に空けられ、ねじれ溝（９、１０）の底面に対し半径方向に間隔を隔てられたことを特徴とする請求項１から８の１つに記載のバイト。
【請求項１１】
締付けネジ（６）が押圧する側の締付けシュー（１９、２０）の表面に、締付けネジ（６）に対する押付け面（３９）が存在することを特徴とする請求項１から１０の１つに記載のバイト。
【請求項１２】
締付けネジ（６）が押圧する側の締付けシュー（１９、２０）の表面に、押圧方向に直径が狭まる窪み、特に円錐状凹所（４０）が設けられたことを特徴とする請求項１から１０の１つに記載のバイト。
【発明の詳細な説明】
【０００１】
本発明は、ドリルのねじれ溝付き軸部を包囲し、このねじれ溝付き軸部上の任意の軸方向調整位置に固定できる、皿穴刃又は皿穴刃体のホルダとしての締付けリングを備えた穴ぐり・皿穴バイトに関する。
【０００２】
独国実用新案第７２４６６２５号明細書で公知の冒頭に述べた形式のバイトは、ドリルを包囲し皿穴刃を備えた皿穴刃体の他に、同様にドリルを包囲し軸方向にドリルがネジ込まれる締付け要素を有する。この要素は、ドリルのねじれ溝に合わされ該溝内を案内される球で、皿穴刃体をドリルに締付け固定する。その固定装置は構造的に経費がかかる。
【０００３】
かかる皿穴刃体を任意の軸方向調整位置で固定する他の方式は、欧州特許出願公開第０６８７５１６号や欧州特許第０６４７１６６号明細書で公知である。これら装置は、ドリルと皿穴刃体の間に位置し、ドリルを囲む締付けスリーブを経て、皿穴刃体を間接的に締付け固定する。この方式も構造的に経費を要する。
【０００４】
本発明の課題は、冒頭に述べた形式の穴ぐり・皿穴バイトを単純に形成する点にある。この課題の解決策を、請求項１に示す。本発明の解決策の場合、締付けリングを、該リングを半径方向に貫通する少なくとも１つの締付けネジで、締付けリングで包囲され又は締付けリングにもぐり込むねじれ溝の表面に対し締付け固定する。締付けネジによるねじれ溝の押圧は、締付けシューの介在によって間接的にしか行われない。ねじれ溝内に存在する締付けシューは、締付けシューが締付けリングで囲われた中空空間の容積を実質的に完全に又は十分に塞ぐことで、中空空間への切屑の侵入を阻止する。請求項２に記載の実施態様は、締付けシューが締付けリングとねじれ溝の表面との間にある中空空間への切屑の侵入を初めから阻止する点で、一層の改善を保障する。これは、請求項３と４に記載の実施態様で、切屑を半径方向外側に効果的に案内することにより、特に有効に行える。
【０００５】
請求項５〜９に記載の実施態様は、ねじれ溝から半径方向外側への切屑の排出を最良にし、また請求項８に記載の実施態様は、追加的に切屑の破断作用を生じさせる。
【０００６】
請求項１０に記載の実施態様によって、半径方向外側から締付けシューに作用するネジ締付け圧の作用下に、締付けシューの軸部がほんの僅か弾性的に曲がることができる。これに伴い、締付けネジに軸方向に作用する反力が生じ、この反力は、振動作用時にも、締付けネジ座の緩みを防止する。
【０００７】
請求項１１記載の実施態様では、締付けシュー１９、２０の軸部２９が締付けネジ６の軸方向に押圧され、請求項１２記載の実施態様では、締付けシュー１９の軸部２９に、追加的に半径方向押圧成分が生ずる。該成分はねじれ溝９、１０の表面における締付けシュー１９、２０の軸部２９の面接触を助長する。
【０００８】
以下図を参照して本発明を詳細に説明する。
【０００９】
穴ぐり・皿穴バイトは、ねじれ溝付き軸部２を備えたドリル１と、軸部２を包囲し軸方向３における任意の調整位置に固定できる皿穴刃体５のホルダとしての締付けリング４とを有する。締付けリング４は、該リング４を半径方向に貫通する少なくとも１つの締付けネジ６を支持している。締付けリング４は、そのドリル刃先１１と反対側端が、中空円筒状又は管状に形成され、ドリル１をその軸部２を含めて、滑り座で包囲している。
【００１０】
締付けネジ６を収容すべく締付けリング４を半径方向に貫通して延びるネジ穴８が、締付けリング４の円周上に一様に分布して設けられている。ネジ穴８の数は、ドリル１のねじれ溝９、１０の数に相応する。この実施例では、２つの締付けネジ６が設けられ、これらネジ６は各々ねじれ溝９、１０に半径方向に突き当てるよう規定されている。この結果締付けリング４はドリル１上に、任意の軸方向位置（軸方向３）で締付け固定される。
【００１１】
締付けリング４は、ドリル刃先１１と反対側の範囲だけでドリル１を環状に囲む。そこで締付けリング４に２つのねじれ溝９、１０がもぐり込んでいる。締付けリング４からドリル刃先１１に向い軸方向３に２つの保持突起１２、１３が突出し、両突起１２、１３は各々その内側フランクが、ドリルにある２つの逃がし面１４、１５に接している。両保持突起１２、１３は、ドリル刃先１１側端で各皿穴刃体５を支持している。これら刃体５はそれに対応したドリル逃がし面１４、１５に接し、皿穴刃１６、１７を支持している。
【００１２】
各締付けネジ６の押圧端と、それに対応したねじれ溝９、１０の表面の間に、締付けシュー１９が置かれている。図５〜８の実施例の締付けシュー１９は、図９〜１２の実施例の締付けシュー２０と全く同様に、対応したねじれ溝９、１０の内部で軸方向３に移動可能に案内される。そのため、締付けシュー１９、２０は、ねじれ溝９、１０側の面に、案内される形状部における長手移動を保障する凸面形状を備える。その凸面は例えばねじれ溝９、１０にて形成された凹面断面形状に対し凸となっている。図５〜８の実施例の締付けシュー１９は、その両端に、ねじれ溝９、１０の横断面形状に適合した案内面２１、２２を持つ。これら案内面２１、２２は、締付けシュー１９の中央にある半径方向凹所２３で互いに分離されている。これに対し、図９〜１２の実施例の締付けシュー２０の場合、ねじれ溝９、１０に対応した案内面２４は単一面をなしている。該面２４は締付けシュー２０のねじれ溝９、１０の側に面した全表面にわたり延びている。
【００１３】
締付けシュー１９、２０は、組立てた状態でドリル刃先１１に向かう端部２５で、ねじれ溝１９、２０がもぐり込む締付けリング４の部分、即ち締付けリング４の、ドリル刃先１１側の正面フランク２６から突出している。組立位置で締付けリング４の正面フランク２６から突出する締付けシュー１９、２０の端部２５は、切屑そらせ面２７、２７′を備えた切屑偏向片として作用する。該偏向片２５は、少なくとも対応したねじれ溝９、１０の横断面積を覆う。
【００１４】
図示の締付けシュー１９、２０の実施例で、各切屑偏向片２５は、締付けリング４に対し有効な間隔リブ２８の組立位置におけるドリル刃先１１側のフランクを形成している。前記リブ２８は、締付けリング４にもぐり込む締付けシュー１９、２０の軸部２９から、ドリル軸線７に対し半径方向に突出している。
【００１５】
締付けシュー１９、２０の切屑偏向片２５の切屑そらせ面２７は、主に、即ち特にそのドリル刃先１１側の範囲で、ねじれ溝９、１０の底と、ドリル刃先１１からドリル軸３０に向いて開いた鋭い角度３１を成している。切屑そらせ面２７は、ねじれ溝９、１０内に置かれた個所がほぼ平らになっている。その鋭角３１は、締付け位置でねじれ溝９、１０の外に位置し、締付けリング４の側に位置する切屑そらせ面２７の端部で、角度３２（図４参照）に増大している。この角度３１から角度３２への移行部は、屈曲部３３を形成している。該屈曲部３３は、例えば直線を成しているが、軽く丸みを付けてもよい。
【００１６】
締付けシュー１９、２０の、ねじれ溝９、１０の底と反対側に位置する屈曲後方切屑そらせ面２７′は、締付けリング４の正面フランク２６の側にある間隔リブ２８の対向フランク３７と、ドリル回転方向３４に閉じる鋭角３５を成す。この結果、切屑そらせ面２７′は切屑案内面の特性を示す。この面２７′は、そこから出る切屑を、半径方向外側のみならず、追加的にドリル回転方向３４に、ねじれ溝９、１０の刃３８から遠ざける。この結果、切屑そらせ面２７′はねじれ溝９、１０の刃を追加的に保護する。間隔リブ２８はその対向フランク３７が軸方向３において締付けリング４の正面フランク２６に接触支持され又はこれに接している。
【００１７】
締付けシュー１９、２０の軸部２９の、締付けネジ６の押圧端１８で押される表面に、締付けネジ６の押圧端１８に対する押付け面３９が存在する。この面はほぼ平坦である。
【００１８】
図４と図８では、締付けネジ６の押しに対する押付け面３９の代わりに、押圧方向にその直径が狭まる窪み、この実施例では円錐状凹所４０を設けている。この凹所４０は、締付けシュー１９、２０の軸部２９をねじれ溝９、１０の表面に面接触させる働きをする。即ち、締付けネジ６による押圧で、軸方向の押圧力だけでなく、追加的に締付けシュー１９、２０の軸部２９を半径方向に押し付ける分力が生じる。
【図面の簡単な説明】
【図１】
本発明に基づく穴ぐり・皿穴バイトのドリル刃先側から見た斜視図。
【図２】
締付けネジとシューを分解した状態の、図１の穴ぐり・皿穴バイトの斜視図。
【図３】
締付けリングを除去し、ねじれ溝の中に締付けシューを置き、それに締付けネジを付属させたドリル前方端の平面図。
【図４】
図３におけるＩＶ−ＩＶ線に沿った断面図。
【図５】
締付けシューの第１実施例の側面斜視図。
【図６】
図５におけるＶＩ方向から見た正面斜視図。
【図７】
図５におけるＶＩＩ方向から見た平面斜視図。
【図８】
図７におけるＶＩＩＩ−ＶＩＩＩ線に沿った断面図。
【図９】
締付けシューの第２実施例の側面斜視図。
【図１０】
締付けシューの第２実施例の図６に相応した図。
【図１１】
締付けシューの第２実施例の図７に相応した図。
【図１２】
締付けシューの第２実施例の図８に相応した図。
【符号の説明】
１  ドリル、２  ドリル軸部、４  締付けリング、５  皿穴刃体、６  締付けネジ、９、１０  ねじれ溝、１９、２０  締付けシュー、２１、２２  締付けシューの接触面、２５  切屑偏向片、２７  切屑そらせ面、３３  屈曲部、３９  押付け面、４０  円錐状凹所
【国際公開パンフレット】
2004524979.tif 000003
2004524979.tif 000004
2004524979.tif 000005
2004524979.tif 000006
2004524979.tif 000007
2004524979.tif 000008
2004524979.tif 000009
2004524979.tif 000010
2004524979.tif 000011
2004524979.tif 000012
2004524979.tif 000013
2004524979.tif 000014
2004524979.tif 000015
2004524979.tif 000016
2004524979.tif 000017
【国際調査報告】
2004524979.tif 000018
2004524979.tif 000019
2004524979.tif 000020
2004524979.tif 000021